(57)【特許請求の範囲】
【請求項１】
素子が配置された第１面と前記第１面と反対側の第２面を有し、前記第１面と前記第２面を貫通する貫通孔が形成された電源基板と、
前記第２面から前記貫通孔を挿通して前記電源基板の出力端子を前記第１面方向に付勢しながら接触する接触部を有し前記電源基板に電気的に接続されて被給電体に給電する接続端子と、
前記接触部が挿入されて前記接続端子を前記接触部の内側から保持する第１保持部と、前記接続端子を前記接触部の外側から保持する第２保持部を有し前記接続端子を前記貫通孔と交差する方向への移動を規制するように保持する保持部が形成され前記電源基板を前記第２面側から支持する枠体と、を含み、
前記第１保持部が、前記接触部が挿入される一端側に傾斜して前記接触部が挿入しやすい誘い込み形状を有し前記一端側のそれぞれの角部に傾斜面が形成されている板状リブである、
ことを特徴とする電気接続構造。
【請求項２】
素子が配置された第１面と前記第１面と反対側の第２面を有し、前記第１面と前記第２面を貫通する貫通孔が形成された電源基板と、
前記第２面から前記貫通孔を挿通して前記電源基板の出力端子を前記第１面方向に付勢しながら接触する接触部を有し前記電源基板に電気的に接続されて被給電体に給電する接続端子と、
前記接触部が挿入されて前記接続端子を前記接触部の内側から保持する第１保持部と、前記接続端子を前記接触部の外側から保持する第２保持部を有し前記接続端子を前記貫通孔と交差する方向への移動を規制するように保持する保持部が形成され前記電源基板を前記第２面側から支持する枠体と、を含み、
前記第２保持部が、前記貫通孔を挿通される一端側のそれぞれの角部に傾斜面が形成されている板状リブである、
ことを特徴とする電気接続構造。
【請求項３】
素子が配置された第１面と前記第１面と反対側の第２面を有し、前記第１面と前記第２面を貫通する貫通孔が形成された電源基板と、
前記第２面から前記貫通孔を挿通して前記電源基板の出力端子を前記第１面方向に付勢しながら接触する接触部を有し前記電源基板に電気的に接続されて被給電体に給電する接続端子と、
前記接触部が挿入されて前記接続端子を前記接触部の内側から保持する第１保持部と、前記接続端子を前記接触部の外側から保持する第２保持部を有し前記接続端子を前記貫通孔と交差する方向への移動を規制するように保持する保持部が形成され前記電源基板を前記第２面側から支持する枠体と、
前記出力端子と前記保持部との間に差し込まれ、前記出力端子の前記接触部が接触する面と相対する他方の面に当接する差し込み部材と、を備えた、
ことを特徴とする電気接続構造。
【請求項４】
前記差し込み部材が、前記第１保持部を跨いで挿入する側のそれぞれの角部に傾斜面が形成されている、
ことを特徴とする請求項３に記載の電気接続構造。
【請求項５】
像保持体とトナー像を形成する現像装置を含んでトナー像が形成される像形成ユニットと、
帯電された前記像保持体に露光を行って潜像を形成する露光装置と、
請求項１ないし４のいずれか１項に記載の電気接続構造と、
前記現像装置の現像によって得られたトナー像を記録媒体に転写する転写手段と、
前記転写手段によって前記記録媒体に転写された画像を定着させる定着手段と、を含む、
ことを特徴とする画像形成装置。
【発明の詳細な説明】
【技術分野】
【０００１】
本発明は、電気接続構造及び画像形成装置に関する。
【背景技術】
【０００２】
装置本体に対し着脱自在に装着されるユニットに設けられたユニット側接点と、装置本体に設けられた電装基板と、電装基板に設けられた貫通孔と、電装基板の一方面に、貫通孔の開口部を跨ぐ状態で設けられた本体側接点と、本体側接点に接触する第１接点と、第１接点と電気的に接続され、ユニット側接点に接触する第２接点とを有するとともに、電装基板の他方面側から貫通孔に挿通され、本体側接点と第１接点とが当接し、かつユニット側接点と第２接点とが当接した状態で、第１接点を本体側接点へ付勢するとともに第２接点をユニット側接点へ付勢する弾性導電部材と、弾性導電部材の第１接点を本体側接点に案内するとともに第１接点側の弾性導電部材端部を支持し、第１接点を本体側接点と対向する位置に規制する支持規制部と、を備える電気的接続構造が知られている（特許文献１）。
【先行技術文献】
【特許文献】
【０００３】
【特許文献１】特開２０１１−２０３３１５号公報
【発明の概要】
【発明が解決しようとする課題】
【０００４】
本発明は、基板を被接続対象に電気的に接続する組み立て作業を円滑に行い、確実に基板と被接続部材とを電気的に接続することができる電気接続構造及び画像形成装置を提供することを目的とする。
【課題を解決するための手段】
【０００５】
前記課題を解決するために、請求項１に記載の電気接続構造は、
素子が配置された第１面と前記第１面と反対側の第２面を有し、前記第１面と前記第２面を貫通する貫通孔が形成された電源基板と、
前記第２面から前記貫通孔を挿通して前記電源基板の出力端子を前記第１面方向に付勢しながら接触する接触部を有し前記電源基板に電気的に接続されて被給電体に給電する接続端子と、
前記接触部が挿入されて前記接続端子を前記接触部の内側から保持する第１保持部と、前記接続端子を前記接触部の外側から保持する第２保持部を有し前記接続端子を前記貫通孔と交差する方向への移動を規制するように保持する保持部が形成され前記電源基板を前記第２面側から支持する枠体と、を含み、
前記第１保持部が、前記接触部が挿入される一端側に傾斜して前記接触部が挿入しやすい誘い込み形状を有し前記一端側のそれぞれの角部に傾斜面が形成されている板状リブである、
ことを特徴とする。
【０００８】
前記課題を解決するために、請求項２に記載の電気接続構造は、
素子が配置された第１面と前記第１面と反対側の第２面を有し、前記第１面と前記第２面を貫通する貫通孔が形成された電源基板と、
前記第２面から前記貫通孔を挿通して前記電源基板の出力端子を前記第１面方向に付勢しながら接触する接触部を有し前記電源基板に電気的に接続されて被給電体に給電する接続端子と、
前記接触部が挿入されて前記接続端子を前記接触部の内側から保持する第１保持部と、前記接続端子を前記接触部の外側から保持する第２保持部を有し前記接続端子を前記貫通孔と交差する方向への移動を規制するように保持する保持部が形成され前記電源基板を前記第２面側から支持する枠体と、を含み、
前記第２保持部が、前記貫通孔を挿通される一端側のそれぞれの角部に傾斜面が形成されている板状リブである、
ことを特徴とする。
【０００９】
前記課題を解決するために、請求項３に記載の電気接続構造は、
素子が配置された第１面と前記第１面と反対側の第２面を有し、前記第１面と前記第２面を貫通する貫通孔が形成された電源基板と、
前記第２面から前記貫通孔を挿通して前記電源基板の出力端子を前記第１面方向に付勢しながら接触する接触部を有し前記電源基板に電気的に接続されて被給電体に給電する接続端子と、
前記接触部が挿入されて前記接続端子を前記接触部の内側から保持する第１保持部と、前記接続端子を前記接触部の外側から保持する第２保持部を有し前記接続端子を前記貫通孔と交差する方向への移動を規制するように保持する保持部が形成され前記電源基板を前記第２面側から支持する枠体と、
前記出力端子と前記保持部との間に差し込まれ、前記出力端子の前記接触部が接触する面と相対する他方の面に当接する差し込み部材と、を備えた、
ことを特徴とする。
【００１０】
請求項４記載の発明は、請求項３に記載の電気接続構造において、
前記差し込み部材が、前記保持部を跨いで挿入する側のそれぞれの角部に傾斜面が形成されている、
ことを特徴とする。
【００１１】
前記課題を解決するために、請求項５に記載の画像形成装置は、
像保持体とトナー像を形成する現像装置を含んでトナー像が形成される像形成ユニットと、
帯電された前記像保持体に露光を行って潜像を形成する露光装置と、
請求項１ないし４のいずれか１項に記載の電気接続構造と、
前記現像装置の現像によって得られたトナー像を記録媒体に転写する転写手段と、
前記転写手段によって前記記録媒体に転写された画像を定着させる定着手段と、を含む、
ことを特徴とする。
【発明の効果】
【００１２】
請求項１に記載の発明によれば、基板を被接続対象に電気的に接続する組み立て作業を円滑に行い、確実に基板と被接続部材とを電気的に接続し、端子の電源基板への接触を安定させることができる。
請求項２に記載の発明によれば、基板を被接続対象に電気的に接続する組み立て作業を円滑に行うことができる。
請求項３に記載の発明によれば、出力端子の変形を抑制することができる。
請求項４に記載の発明によれば、差し込み部材を容易に組み付けることができる。
請求項５に記載の発明によれば、基板を被接続対象に電気的に接続する組み立て作業を円滑に行い、確実に基板と被接続部材とを電気的に接続することができる。
【図面の簡単な説明】
【００１３】
【図１】画像形成装置１の内部構成を示す断面模式図である。
【図２】電気接続構造１００の全体構成を示す素子の配置側に視点をおいた斜視図である。
【図３】（ａ）は電気接続構造１００の素子の配置側に視点をおいた分解斜視図、（ｂ）は電源基板１１０と枠体１３０が固定された状態を示す分解斜視図である。
【図４】電源基板１１０の素子の配置側の平面模式図及び断面図である。
【図５】（ａ）は枠体１３０の保持部の電源基板１１０側に視点をおいた拡大斜視図、（ｂ）は断面図である。
【図６】（ａ）は枠体１３０の保持部に接続端子１２０が挿通された状態を示す平面模式図、（ｂ）は断面模式図である。
【図７】電源基板１１０に枠体１３０の第２保持部１３２が挿入された状態を示す斜視図である。
【図８】差し込み部材１４０の斜視図である。
【図９】差し込み部材１４０が第１保持部１３１を跨いで第２保持部１３２の受面１３２ｂと出力端子１１２との間に挿入された状態を示す斜視図である。
【図１０】組み立てられた状態の電気接続構造１００の断面模式図である。
【発明を実施するための形態】
【００１４】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
（１）画像形成装置１の全体構成及び動作
図１は本実施形態に係る画像形成装置１の内部構成を示す断面模式図である。
以下、図面を参照しながら、画像形成装置１の全体構成及び動作を説明する。
【００１５】
画像形成装置１は、制御装置１０、給紙装置２０、感光体ユニット３０、現像ユニット４０、転写装置５０、定着装置６０、電気接続構造１００を備えて構成されている。画像形成装置１の上面（Ｚ方向）には、画像が記録された用紙Ｐが排出・収容される排出トレイ１ａが形成されている。
【００１６】
制御装置１０は、画像形成装置１の動作を制御する画像形成装置制御部１１と、印刷処理要求に応じた画像データを準備するコントローラ部１２、露光装置ＬＨの点灯を制御する露光制御部１３等を有する。
【００１７】
コントローラ部１２は、外部の情報送信装置（例えばパーソナルコンピュータ等）から入力された印刷情報を潜像形成用の画像情報に変換して予め設定されたタイミングで、駆動信号を露光装置ＬＨに出力する。本実施形態の露光装置ＬＨは、複数の発光素子（ＬＥＤ：Light  Emitting  Diode）が主走査方向に沿って線状に配列されたＬＥＤヘッドにより構成されている。
【００１８】
画像形成装置１の底部には、給紙装置２０が設けられている。給紙装置２０は、用紙積載板２１を備え、用紙積載板２１の上面には多数の記録媒体としての用紙Ｐが積載される。用紙積載板２１に積載され、規制板（不図示）で幅方向位置が決められた用紙Ｐは、上側から１枚ずつ用紙引き出し部２２により前方（Ｘ方向）に引き出された後、レジストローラ対２３のニップ部まで搬送される。
給紙装置２０の上方には、第２給紙装置２０Ａが設けられている。第２給紙装置２０Ａは、用紙搬送路２７を介して、用紙引き出し部２５により引き出された用紙Ｐをレジストローラ対２３のニップ部まで搬送する。
【００１９】
感光体ユニット３０は、給紙装置２０の上方（Ｚ方向）に、それぞれが並列して設けられ、回転駆動する像保持体としての感光体ドラム３１を備えている。感光体ドラム３１の回転方向にそって、帯電ローラ３２、露光装置ＬＨ、現像ユニット４０、一次転写ローラ５２、クリーニングブレード３４が配置されている。帯電ローラ３２には、帯電ローラ３２の表面をクリーニングするクリーニングローラ３３が対向、接触して配置されている。
【００２０】
現像ユニット４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制部材４６が近接配置されている。
現像ユニット４０各々は、現像ハウジング４１に収容される現像剤を除いて同様に構成され、それぞれがイエロー（Ｙ）、マゼンタ（Ｍ）、シアン（Ｃ）、黒（Ｋ）のトナー像を形成する。
【００２１】
回転する感光体ドラム３１の表面は、帯電ローラ３２により帯電され、露光装置ＬＨから出射する潜像形成光により静電潜像が形成される。感光体ドラム３１上に形成された静電潜像は現像ローラ４２によりトナー像として現像される。
【００２２】
転写装置５０は、各感光体ユニット３０の感光体ドラム３１にて形成された各色トナー像が多重転写される中間転写ベルト５１、各感光体ユニット３０にて形成された各色トナー像を中間転写ベルト５１に順次転写（一次転写）する一次転写ローラ５２、中間転写ベルト５１上に重畳して転写された各色トナー像を用紙Ｐに一括転写（二次転写）する二次転写ローラ５３から構成されている。
【００２３】
電気接続構造１００は、第２給紙装置２０Ａの上方（Ｚ方向）で感光体ユニット３０、現像ユニット４０の下方（−Ｚ方向）に配置され、帯電ローラ３２、現像ローラ４２、一次転写ローラ５２、二次転写ローラ５３等に電圧を印加する。
【００２４】
各感光体ユニット３０の感光体ドラム３１に形成された各色トナー像は、画像形成装置制御部１１により制御される電気接続構造１００から所定の転写電圧が印加された一次転写ローラ５２により中間転写ベルト５１上に順次静電転写（一次転写）され、各色トナーが重畳された重畳トナー像が形成される。
【００２５】
中間転写ベルト５１上の重畳トナー像は、中間転写ベルト５１の移動に伴って二次転写ローラ５３が配置された領域（二次転写部Ｔ）に搬送される。重畳トナー像が二次転写部Ｔに搬送されると、そのタイミングに合わせて給紙装置２０から用紙Ｐが二次転写部Ｔに供給される。そして、二次転写ローラ５３には、画像形成装置制御部１１により制御される電気接続構造１００から所定の転写電圧が印加され、レジストローラ対２３から送り出され、搬送ガイドにより案内された用紙Ｐに中間転写ベルト５１上の多重トナー像が一括転写される。
【００２６】
感光体ドラム３１表面の残留トナーは、クリーニングブレード３４により除去され、廃現像剤収容部に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００２７】
定着装置６０は、加熱モジュール６１と加圧モジュール６２を有し、加熱モジュール６１と加圧モジュール６２の圧接領域によって定着ニップ部Ｎ（定着領域）が形成される。
【００２８】
転写装置５０においてトナー像が転写された用紙Ｐは、トナー像が未定着の状態で搬送ガイドを経由して定着装置６０に搬送される。定着装置６０に搬送された用紙Ｐは、一対の加熱モジュール６１と加圧モジュール６２により、圧着と加熱の作用でトナー像が定着される。
定着トナー像が形成された用紙Ｐは、搬送ローラ対６８を介して排出ローラ対６９から画像形成装置１上面の排出トレイ１ａに排出される。
【００２９】
（２）電気接続構造
（２．１）全体構成
図２は電気接続構造１００の全体構成を示す素子の配置側に視点をおいた斜視図、図３（ａ）は電気接続構造１００の素子の配置側に視点をおいた分解斜視図、（ｂ）は電源基板１１０と枠体１３０が固定された状態を示す分解斜視図、図４は電源基板１１０の素子の配置側の平面模式図及び断面図である。以下、図面を参照しながら本実施形態に係る電気接続構造１００の全体構成について説明する。
【００３０】
図２、図３に示すように、電気接続構造１００は、電源基板１１０と、接続端子１２０と、枠体１３０と、差し込み部材１４０とを備えて構成されている。
【００３１】
図２に示すように電源基板１１０の第１面１１０ａには、接続端子１２０を通じて感光体ユニット３０、現像ユニット４０に給電される電圧を発生させる変圧器（トランス）や抵抗、蓄電器（コンデンサ）等の素子が配置されている。
図４に示すように、接続端子１２０と電気接続される領域には、第２面１１０ｂと下第１面１１０ａを貫通する貫通孔１１１が形成され、貫通孔１１１を跨いで２本の出力端子１１２が配置されている。
【００３２】
接続端子１２０は、電源基板１１０に電気的に接続されて被給電体としての感光体ユニット３０、現像ユニット４０に給電する。接続端子１２０は、線材からなり、一端側が電源基板１１０の出力端子１１２に付勢されて接触する接触部としての圧縮コイルバネ部１２１を有している。他端側は、感光体ユニット３０、現像ユニット４０の給電部に接触するトーションコイルバネ部１２２を有している。
【００３３】
枠体１３０は、第１面側に電源基板１１０を支持して、沿面放電を防止するために、電源基板の第２面１１０ｂに比べて、平面視で形状が大きくなるように絶縁体により矩形状に形成されている。
枠体１３０の一端側には、圧縮コイルバネ部１２１が挿入されて接続端子１２０を圧縮コイルバネ部１２１の内側から保持する第１保持部１３１と、接続端子１２０を圧縮コイルバネ部１２１の外側から保持する第２保持部１３２が一体として形成されている。
【００３４】
（２．２）接続構造
図５（ａ）は枠体１３０の保持部の電源基板１１０側に視点をおいた拡大斜視図、（ｂ）は断面図、図６（ａ）は枠体１３０の保持部に接続端子１２０が挿通された状態を示す平面模式図、（ｂ）は断面模式図、図７は電源基板１１０に枠体１３０の第２保持部１３２が挿入された状態を示す斜視図、図８は差し込み部材１４０の斜視図、図９は差し込み部材１４０が第１保持部１３１を跨いで第２保持部１３２の受面１３２ｂと出力端子１１２との間に挿入された状態を示す斜視図である。
以下、図面を参照しながら本実施形態に係る電気接続構造１００の接続構造について具体的に説明する。
【００３５】
図５（ａ）、（ｂ）に示すように、枠体１３０に形成された第１保持部１３１は、全体が板状のリブ形状で、圧縮コイルバネ部１２１が挿通される側には先端に向かって傾斜面１３１ｃを有し挿通方向に対して交差する方向に突出した誘い込み部１３１ａが形成されている。また、第１保持部１３１の先端側のそれぞれの角部には傾斜面１３１ｃが形成されている。
第１保持部１３１の幅Ｗ１（図５（ａ）参照）及び誘い込み部１３１ａを含む厚みＷ２は、挿通される圧縮コイルバネ部１２１の内径よりも小さく形成されている。
【００３６】
図６（ａ）に示すように、第１保持部１３１に接続端子１２０の圧縮コイルバネ部１２１が挿通された状態で、圧縮コイルバネ部１２１の内側１２１ａと第１保持部１３１の誘い込み部１３１ａとは間隙Ｇ１が確保され、第１保持部１３１の幅方向はそれぞれＧ２、Ｇ３の間隙が確保されている。
【００３７】
その結果、第１保持部１３１は全体で誘い込み形状をなし、接続端子１２０の圧縮コイルバネ部１２１が挿通される際の座屈を抑制しつつ、挿通後は挿通方向と交差する方向の移動を圧縮コイルバネ部１２１内側から規制している。
【００３８】
第２保持部１３２は、全体が板状のリブ形状で、電源基板１１０の貫通孔１１１に挿通される先端側のそれぞれの角部にはテーパ部１３２ａが形成されている。
第２保持部１３２には、図６（ｂ）に示すように、接続端子１２０の圧縮コイルバネ部１２１の端部を受ける受面１３２ｂが形成されて、電源基板１１０の出力端子１１２に接続する前の状態で圧縮コイルバネ部１２１の付勢力を保持している。
また、圧縮コイルバネ部１２１の挿通方向には壁部１３２ｃが形成されて、圧縮コイルバネ部１２１の挿通方向と交差する方向の移動を圧縮コイルバネ部１２１外側から規制している。
【００３９】
その結果、図７に示すように、第２保持部１３２は、第１保持部１３１に挿通された圧縮コイルバネ部１２１を圧縮コイルバネ部１２１外側から規制しながら電源基板１１０の貫通孔１１１から挿通されて、圧縮コイルバネ部１２１の端部を電源基板１１０の第１面１１０ａに配置された２本の出力端子１１２に接触させるように案内する。
【００４０】
差し込み部材１４０は、図８に示すように、並行する２本の突出部１４１が平面視コの字形状をなし、突出部１４１の間隔Ｗ３（図６参照）は、第１保持部１３１の幅Ｗ１（図５（ａ）参照）よりも広く形成されている。それぞれの突出部１４１の先端側には傾斜面１４１ａ、１４１ｂが形成されている。
【００４１】
図９に示すように、差し込み部材１４０は、第１保持部１３１に挿通された接続端子１２０の圧縮コイルバネ部１２１が第２保持部１３２に案内されて電源基板１１０の貫通孔１１１に挿入されて出力端子１１２と接続された状態で、第１保持部１３１を跨いで第２保持部１３２の受面１３２ｂと出力端子１１２との間に挿入される。
その結果、圧縮コイルバネ部１２１の付勢力で接触圧を受けている出力端子１１２の変形を抑制することができる。
【００４２】
（３）電気接続構造の作用
図１０は組み立てられた状態の電気接続構造１００の断面模式図である。
本実施形態に係る画像形成装置１は、底部に給紙装置２０が設けられ、給紙装置２０の上方に、第２給紙装置２０Ａが設けられている。
そして、第２給紙装置２０Ａの上方（Ｚ方向）には、画像形成装置１に対して第１面に素子が配置された電源基板１１０を有する電気接続構造１００が配置され、電気接続構造１００の上方（Ｚ方向）に電気接続構造１００から給電を受ける感光体ユニット３０、現像ユニット４０が配置されている。
【００４３】
電源基板１１０は、用紙搬送路２７のスペースを埋めるように画像形成装置１に対して第１面１１０ａに素子が配置されて、画像形成装置１全体の高さを抑え、小型化された構成とされている。
そして、第２面１１０ｂから貫通孔１１１を挿通して電源基板１１０の第１面１１０ａに配置された出力端子１１２に電気的に接続される接続端子１２０が、沿面放電を防止するために、電源基板１１０の第２面１１０ｂに比べて、平面視で形状が大きくなるように絶縁体により矩形状に形成された枠体１３０に設けられている。
【００４４】
枠体１３０の一端側には、接続端子１２０の圧縮コイルバネ部１２１を内側から保持する第１保持部１３１と、圧縮コイルバネ部１２１を外側から保持する第２保持部１３２が一体として形成され、第１保持部１３１は、圧縮コイルバネ部１２１が挿通される側には誘い込み部１３１ａが形成されている。また、第１保持部１３１の先端側のそれぞれの角部には傾斜面１３１ｃが形成されている。そのために、接続端子１２０の圧縮コイルバネ部１２１が挿通される際の座屈を抑制している。
【００４５】
第２保持部１３２は、第１保持部１３１に挿通された圧縮コイルバネ部１２１を外側から規制しながら電源基板１１０の貫通孔１１１から挿通されて、圧縮コイルバネ部１２１の端部を２本の出力端子１１２に接触させるように案内して接続端子１２０と出力端子１１２が電気的に接続される。
その状態で、図１０に示すように、差し込み部材１４０が第１保持部１３１を跨いで第２保持部１３２の受面１３２ｂと出力端子１１２との間に挿入されて、圧縮コイルバネ部１２１の付勢力で接触圧を受けている出力端子１１２の変形を抑制している。
【００４６】
そのために、本実施形態に係る電気接続構造１００によれば、画像形成装置１全体の高さを抑えつつ、電気接続構造１００の組み立てにおいて、接続端子１２０が座屈することなく、電源基板１１０の出力端子１１２と接続端子１２０との電気的接続を確実に行うことができる。  
【符号の説明】
【００４７】
１・・・画像形成装置
１０・・・制御装置
２０・・・給紙装置
３０・・・感光体ユニット
４０・・・現像ユニット
５０・・・転写装置
６０・・・定着装置
１００・・・電気接続構造
１１０・・・電源基板
１１１・・・貫通孔
１１２・・・出力端子
１２０・・・接続端子
１２１・・・圧縮コイル部
１３０・・・枠体
１３１・・・第１保持部
１３１ａ・・・誘い込み部  
１３２・・・第２保持部
１４０・・・差し込み部材
【図１】
0006528443.tif 000002
【図２】
0006528443.tif 000003
【図３】
0006528443.tif 000004
【図４】
0006528443.tif 000005
【図５】
0006528443.tif 000006
【図６】
0006528443.tif 000007
【図７】
0006528443.tif 000008
【図８】
0006528443.tif 000009
【図９】
0006528443.tif 000010
【図１０】
0006528443.tif 000011